【手続補正書】
【提出日】平成16年10月15日(2004.10.15)
【手続補正１】
【補正対象書類名】明細書
【補正対象項目名】特許請求の範囲
【補正方法】変更
【補正の内容】
【特許請求の範囲】
【請求項１】  
液滴発生器と複数の電気接点とを有するインクジェットプリントヘッドと、
印刷装置
とを備えるインクジェット印刷システムであって、
前記複数の電気接点は、複数のアドレス接点、イネーブル接点、および駆動電流接点を含み、前記液滴発生器は、液滴発生器の複数のグループをなすように編成され、液滴発生器の該複数のグループの各々は、異なる駆動電流接点に接続され、液滴発生器の該複数のグループの各々は、液滴発生器のサブグループを含み、前記液滴発生器のグループ内の液滴発生器のサブグループの各々は、前記複数のアドレス接点のそれぞれのアドレス接点に接続され、
前記印刷装置は、アドレス接点、イネーブル接点、および駆動電流接点を含む複数の電気接点を有し、該複数の電気接点は、前記インクジェットプリントヘッドが該印刷装置に挿入されると、前記インクジェットプリントヘッド上の対応する電気接点と電気的に接触するように構成されており、
前記印刷装置は、前記アドレス接点に周期的なアドレス信号を、及び、前記イネーブル接点に周期的なイネーブル信号を供給し、前記印刷装置は、画像描写に基づいて前記駆動電流接点に駆動電流を選択的に印加し、
前記プリントヘッドは、前記アドレス信号及びイネーブル信号の各々からの周期信号に応答し、前記プリントヘッドは、駆動電流の選択的な印加に応答して、該プリントヘッドからインクを選択的に噴出して印刷媒体上に画像を形成することからなる、インクジェット印刷システム。
【請求項２】
前記インクジェットプリントヘッドは、それぞれが、前記複数の電気接点のアドレス接点、イネーブル接点および駆動電流接点と接続するように構成された複数の液滴発生器を備え、各液滴発生器は、アドレス接点、イネーブル接点および駆動電流接点のそれぞれにおける信号がアクティブの場合にインクを噴出するように構成されることからなる、請求項１に記載のインクジェット印刷システム。
【請求項３】
媒体上に画像を形成するためのインクジェット印刷装置と共に用いられるインクジェットプリントヘッドであって、
液滴発生器と、
前記プリントヘッドが前記印刷装置に挿入されると、前記印刷装置上の対応する複数の接点と接続するように構成された複数の接点
とを有し、
前記プリントヘッド上の前記複数の接点は、前記印刷装置から、駆動電流、周期的なアドレス信号および周期的なイネーブル信号をそれぞれ受信する、駆動電流接点、アドレス接点およびイネーブル接点を含み、前記液滴発生器は、それぞれのグループが異なる駆動電流接点に接続される複数の液滴発生器のグループをなすように編成され、前記複数の液滴発生器のグループのそれぞれは、液滴発生器のサブグループを有し、前記液滴発生器のグループ内の液滴発生器の各サブグループは、前記複数のアドレス接点の異なるアドレス接点に接続され、
前記プリントヘッドは、前記アドレス信号およびイネーブル信号のそれぞれからの周期信号に応答し、前記プリントヘッドは、画像描写に基づいた駆動電流の選択的な印加に応答して、前記インクジェットプリントヘッドからインクを選択的に噴出することからなる、インクジェットプリントヘッド。
【請求項４】
それぞれが、前記複数の電気接点のアドレス接点、イネーブル接点、および駆動電流接点と接続するように構成された複数の液滴発生器をさらに備え、各液滴発生器は、アドレス接点、イネーブル接点および駆動電流接点のそれぞれにおける信号がアクティブの場合に、インクを噴出するように構成されることからなる、請求項３に記載のインクジェットプリントヘッド。
【請求項５】
前記インクジェットプリントヘッドは、それぞれのグループが、異なる駆動電流接点と接続する複数の液滴発生器のグループを有し、前記複数の液滴発生器のグループの各々は、一対の液滴発生器を有し、前記液滴発生器のグループ内の液滴発生器の各対は、前記複数のアドレス接点の異なるアドレス接点と接続する、請求項３に記載のインクジェットプリントヘッド。
【請求項６】
前記複数の接点は、Ａ個のアドレス接点、Ｅ個のイネーブル接点、およびＤ個の駆動電流接点を有し、前記プリントヘッドは、前記Ａ個のアドレス接点、前記Ｅ個のイネーブル接点、および前記Ｄ個の駆動電流接点によって制御される（Ａ×Ｅ×Ｄ）個の液滴発生器のアレイを含む、請求項３に記載のプリントヘッド。
【請求項７】
作動に応答してインクを噴出するための複数の液滴発生器を備えたインクジェットプリントヘッドを動作させるための方法であって、前記複数の液滴発生器は、それぞれのグループが共通の作動電流源と接続する液滴発生器のグループをなすように編成され、該方法は、
前記液滴発生器のグループ内の液滴発生器のサブグループを選択するための一定の周波数を有する第１の時変電圧を受けることと、
前記選択された液滴発生器のサブグループ内の個々の液滴発生器を選択するための一定の周波数を有する第２の時変電圧を受けること
とを含み、前記選択された個々の液滴発生器は、該液滴発生器に送出される駆動電流に基づいて作動することからなる、方法。
【請求項８】
イネーブル信号および駆動電流信号に応答してインクを与えるためのインクジェットプリントヘッドであって、
エネルギーを貯蔵するためのエネルギー貯蔵デバイスと、
第１のイネーブル信号に応答してエネルギーを前記エネルギー貯蔵デバイスに貯蔵するためのエネルギー充填デバイスと、
第２のイネーブル信号に応答して前記エネルギー貯蔵デバイス内のエネルギーを放出させるためのエネルギー放出デバイスと、
作動時に前記インクジェットプリントヘッドからインクを与えるための液滴発生デバイス
とを備え、
前記液滴発生デバイスは、駆動電流信号がアクティブになり、かつ、前記エネルギー貯蔵デバイスに貯蔵されたエネルギーが閾値エネルギーレベルよりも大きくなることによって作動し、前記液滴発生デバイスは、抵抗性の加熱デバイスと、前記抵抗性の加熱デバイスに直列に接続された、ドレイン端子およびソース端子を有するＦＥＴトランジスタを備え、前記エネルギー貯蔵デバイスは、前記ＦＥＴトランジスタのゲート−ソース間静電容量である、インクジェットプリントヘッド。
【請求項９】
媒体上に画像を形成するためのインクジェット印刷装置と共に用いられるインクジェットプリントヘッドであって、
前記プリントヘッドが前記印刷装置に挿入されると、前記印刷装置上の複数の接点と電気的に接続し、かつ、前記印刷装置から、駆動電流、及び、前記インクジェットプリントヘッド上で液滴噴出デバイスの第１のセットを識別する周期的なアドレス信号、及び、前記液滴噴出デバイスのセットから液滴噴出デバイスのサブセットを識別する周期的なイネーブル信号を受信するための手段と、
前記アドレス信号およびイネーブル信号のそれぞれからの周期信号に応答し、及び、画像描写に基づいた駆動電流の選択的な印加に応答して、前記インクジェットプリントヘッドからインクを選択的に噴出するための手段であって、該手段は、液滴噴出デバイスを含み、駆動電流が供給されている前記識別されたサブセット内の液滴噴出デバイスのみが作動してインクを噴出することからなる、手段
とを備え、
前記液滴噴出デバイスは、液滴噴出デバイスの複数のグループをなすように編成され、前記液滴噴出デバイスの複数のグループの各々は、前記プリントヘッドが前記印刷装置に挿入されると、異なる駆動電流源に結合され、前記液滴噴出デバイスの複数のグループの各々は、液滴噴出デバイスのサブグループを含み、前記液滴噴出デバイスのグループ内の該液滴噴出デバイスのサブグループの各々は、前記プリントヘッドが前記印刷装置に挿入されると、異なる周期的なアドレス信号源に結合されることからなる、インクジェットプリントヘッド。
【請求項１０】
インクジェットプリントヘッドであって、
作動に応答してインクを噴出するための複数の液滴発生器であって、前記複数の液滴発生器は、液滴発生器のグループをなすように編成され、各グループは、共通の作動電流源に接続されることからなる、複数の液滴発生器と、
一定の周波数を有する第１の時変電圧を受けるための手段と、
前記第１の時変電圧に基づいて前記液滴発生器のグループ内の液滴発生器のサブグループを選択するための手段と、
一定の周波数を有する第２の時変電圧を受けるための手段と、
前記第２の時変電圧に基づいて前記選択された液滴発生器のサブグループ内の個々の液滴発生器を選択するための手段と、
供給される作動電流に基づいて前記選択された個々の液滴発生器を作動させるための手段
を備える、インクジェットプリントヘッド。